(57)【特許請求の範囲】
【請求項１】
ファックス通信部と、
用紙に画像を印刷する印刷部と、
記憶部と、
制御部と、
を備え、
前記制御部は、
前記ファックス通信部が送信元からファックス信号を受信してからファックスデータ送信終了信号を受信するまで、前記ファックス通信部を介して順次ページ毎に前記送信元から送信されるファックスデータを前記記憶部に記憶させるファックスデータ受信処理と、
前記記憶部に記憶された前記ファックスデータが第１ページ数である所定ページ数毎に１ページに集約されたレイアウト画像データを作成するレイアウト画像作成処理と、
前記レイアウト画像作成処理にて使用された前記所定ページ数分のファックスデータを前記記憶部から削除する削除処理と、
前記レイアウト画像作成処理で作成された前記レイアウト画像データの印刷を前記印刷部に指示する印刷指示処理と、
を有し、
前記ファックスデータ受信処理は、前記記憶部の残容量が閾値以下に低下した場合、前記ファックスデータの受信不可を示す受信不可信号を、前記ファックス通信部を介して前記送信元に送信し、
前記レイアウト画像作成処理は、前記受信不可信号が送信された場合、前記所定ページ数を前記第１ページ数から、前記記憶部の残容量が閾値以下に低下した時点における前記記憶部にページ分の記憶が完了したページ数以下で、かつ、２以上の自然数の二乗で前記完了したページ数に最も近い値である第２ページ数に変更して、前記レイアウト画像データを作成し、前記第１ページ数を前記第２ページ数に更新し、
前記ファックスデータ受信処理は、前記削除処理によって前記所定ページ数分のファックスデータが削除された後、前記ファックスデータの受信許可を示す受信許可信号を、前記ファックス通信部を介して前記送信元に送信する、
ファックス装置。
【請求項２】
請求項１に記載のファックス装置であって、
更に、
表示部、
を備え、
前記制御部は、
更に、
前記レイアウト画像作成処理時に、予め設定されていた第１ページ数から第２ページ数に変更された場合、警告を前記表示部に表示させる、
ファックス装置。
【請求項３】
請求項２に記載のファックス装置であって、
前記制御部は、
更に、
前記ファックスデータを前記印刷部が印刷する際の印刷条件である用紙サイズ情報が第１サイズを示す場合は、前記閾値を第１閾値に設定し、前記用紙サイズ情報が第１サイズよりも小さい第２サイズを示す場合、前記閾値を前記第１閾値より小さい第２閾値に設定する第１閾値設定処理、
を有する、
ファックス装置。
【請求項４】
請求項３に記載のファックス装置であって、
前記制御部は、
更に、
前記ファックスデータの色情報がカラーを示す場合は、前記閾値を第３閾値に設定し、前記ファックスデータの色情報がモノクロを示す場合、前記閾値を前記第３閾値より小さい第４閾値に設定する第１閾値設定処理、
を有する、
ファックス装置。
【請求項５】
請求項４に記載のファックス装置であって、
前記制御部において、
前記用紙サイズ情報及び前記色情報は、前記ファックスデータ受信処理前に、前記送信元から前記ファックス通信部に送信されるＤＣＳ信号から取得される、
ファックス装置。
【請求項６】
請求項１〜５のいずれか１項に記載のファックス装置であって、
更に、
操作部と、
通信部と、
を有し、
前記記憶部には、前記ファックス通信部が送受信した各ファックスデータの履歴が記憶され、
前記制御部は、
更に、
前記操作部、又は、前記通信部を介して、通信管理レポートの印刷指示を受け付けるレポート印刷受付処理と、
前記履歴情報と前記記憶部の残量容不足のため１枚の記録紙に集約するページ数が変更されたこととを前記通信管理レポートとして、前記印刷部に印刷を指示するレポート印刷指示処理と、
を有する、ファックス装置。
【発明の詳細な説明】
【技術分野】
【０００１】
本発明は、ファックス装置に関する。
【背景技術】
【０００２】
従来、ファックスデータを受信し、Ｎページのファックスデータ毎に１ページに集約した画像を作成して、その画像を用紙に印刷するＮｉｎ１印刷を行うことができるファックス装置がある（例えば、特許文献１）。ファックス装置は、ファックスデータを受信した際、Ｎｉｎ１印刷を行うことによって、用紙の節約をすることができる。
【０００３】
このファックス装置では、送信元のファックス装置から送信されるファックスデータを受信すると、その受信したファックスデータが順次にメモリに記憶される。Ｎページ分のファックスデータの受信が完了すると、Ｎページ分のファックスデータから１ページのレイアウト画像が作成される。そして、そのレイアウト画像がファックス装置によって印刷され、その後、そのレイアウト画像の作成に使用されたＮページ分のファックスデータがメモリから削除される。例えば、４ｉｎ１印刷が設定されているファックス装置では、ファックスデータを４ページ分、メモリに記憶する毎に、１ページのレイアウト画像が順次、作成され、そのレイアウト画像が順次、印刷される。
【先行技術文献】
【特許文献】
【０００４】
【特許文献１】特開２００１−１９７２９０号公報
【発明の概要】
【発明が解決しようとする課題】
【０００５】
前述のファックス装置では、Ｎページ分のファックスデータから１ページのレイアウト画像を作成する必要があるため、少なくともメモリにＮページ分のファックスデータが記憶される必要がある。そのため、ファックス装置では、Ｎページ分のファックスデータのメモリへの記憶が完了する前にメモリの空き容量が不足すると、レイアウト画像が作成することができず、送信元のファックス装置から送信されるファックスデータを受信することができない。特に、ファックス装置は、ファックスデータの受信できない場合、受信側の都合で送信元のファックス装置にファックスデータの再送信を指示することができない。そのため、ファックス装置では、ファックスデータを取りこぼすことなく受信し、Ｎｉｎ１印刷を行うことによって、用紙の節約をする必要があった。
【０００６】
本発明の目的は、ファックスデータを受信し、その受信したファックスデータを所定ページ数毎に１ページに集約して印刷する際、ファックスデータの受信途中で記憶部の残容量が不足する状況（メモリフル）に陥っても、残りのファックスデータを正常に受信することができる、ファックス装置を提供することである。
【課題を解決するための手段】
【０００７】
前記の目的を達成するため、本発明の一の局面に係るファックス装置は、ファックス通信部と、用紙に画像を印刷する印刷部と、記憶部と、制御部とを備え、制御部は、ファックス通信部が送信元からファックス信号を受信してからファックスデータ送信終了信号を受信するまで、ファックス通信部を介して順次ページ毎に送信元から送信されるファックスデータを記憶部に記憶させるファックスデータ受信処理と、記憶部に記憶されたファックスデータが第１ページ数である所定ページ数毎に１ページに集約されたレイアウト画像データを作成するレイアウト画像作成処理と、レイアウト画像作成処理にて使用された所定ページ数分のファックスデータを記憶部から削除する削除処理と、レイアウト画像作成処理で作成されたレイアウト画像データの印刷を印刷部に指示する印刷指示処理とを有し、ファックスデータ受信処理は、記憶部の残容量が閾値以下に低下した場合、ファックスデータの受信不可を示す受信不可信号を、ファックス通信部を介して送信元に送信し、レイアウト画像作成処理は、ファックスデータ受信処理において受信不可信号が送信された場合、所定ページ数を第１ページ数から第１ページ数より少ない第２ページ数に変更して、レイアウト画像データを作成し、ファックスデータ受信処理は、削除処理によって所定ページ数分のファックスデータが削除された後、ファックスデータの受信許可を示す受信許可信号を、ファックス通信部を介して送信元に送信する。
【０００８】
この構成によれば、送信元からページ毎に順次に送信されるファックスデータがファックス通信部に受信され、第１ページ数に設定されている所定ページ数のファックスデータが記憶部に記憶される毎に、その所定ページ数毎に１ページに集約されたレイアウト画像データが作成される。そして、レイアウト画像データの作成に使用されたファックスデータが記憶部から削除されることにより、次のページのファックスデータを順次受信して、記憶部に記憶することができる。
【０００９】
一方、第１ページ数である所定ページ数分のファックスデータの受信途中で、記憶部の残容量が閾値以下に低下した場合、ファックス装置は、レイアウト画像データを作成することができず、また、記憶部の残容量不足により次のページのファックスデータを受信することができない。すると、ファックス装置は、ファックスデータの受信不可を示す受信不可信号をファックス通信部から送信元に送信する。そして、ファックス装置は、所定ページ数を第１ページ数よりも少ない第２ページ数に変更し、第２ページ数を１ページに集約されたレイアウト画像データを作成して、そのレイアウト画像データの作成に使用されたファックスデータを記憶部から削除する。そして、ファックス装置は、ファックスデータの受信許可を示す受信許可信号をファックス通信部から送信元に送信し、残りのファックスデータの受信を再開させる。
【００１０】
ファックス装置は、第１ページ数である所定ページ数分のファックスデータの受信途中で、記憶部の残容量が閾値以下に低下した場合、所定ページ数を第１ページ数から第２ページに変更することで、レイアウト画像データを作成することができ、レイアウト画像データの作成に使用されたファックスデータが記憶部から削除することができるため、次のページのファックスデータを受信することができる。
【発明の効果】
【００１１】
本発明によれば、ファックスデータを所定ページ数毎に１ページに集約して印刷する際、ファックスデータの受信途中で記憶部の残容量が不足する状況（メモリフル）に陥っても、残りのファックスデータを正常に受信することができる。
【図面の簡単な説明】
【００１２】
【図１】本発明の一実施形態に係るファックス装置の主要構成を示すブロック図である。
【図２】ファックス受信処理の流れを示すフローチャートである。
【図３】通信管理レポートの例を示す概念図である。
【図４】Ｎｉｎ１印刷処理の流れを示すフローチャートである。
【図５】中断処理の流れを示すフローチャートである。
【図６】受信中のファックスデータのＲＡＭへの記憶状況を示す概念図である。
【図７】４ｉｎ１印刷のレイアウト画像を示す概念図である。
【図８】２ｉｎ１印刷のレイアウト画像を示す概念図である。
【図９】閾値変更処理の流れを示すフローチャートである。
【発明を実施するための形態】
【００１３】
以下では、本発明の実施の形態について、添付図面を参照しつつ詳細に説明する。
【００１４】
＜全体構成＞
【００１５】
ファックス装置１は、図１に示されるように、画像形成部１０、画像読取部２０、表示部３０、操作部４０及びファックス通信部５０、ネットワーク通信部６０を備えている。
【００１６】
画像形成部１０は、印刷データに基づく印刷（カラー印刷またはモノクロ印刷）を実行し、用紙に画像を形成する。画像形成の方式は、例えば、電子写真方式である。
【００１７】
画像読取部２０は、ＣＩＳ（Contact Image Sensor）等であって、用紙に形成されている画像を用紙から読み取り、画像データとして取得する。
【００１８】
表示部３０は、例えば、液晶表示器からなる。表示部３０には、各種の設定画面や装置の動作状態など、各種の情報が表示される。
【００１９】
操作部４０は、スタートキー、テンキー及びカーソルキーなどの複数の操作ボタンからなる。使用者が操作部４０を操作することにより、各種の指示を入力することが可能である。
【００２０】
ファックス通信部５０は、電話回線網を介したファックス通信のために、ＮＣＵ（Network Control Unit）を内蔵したモデムなどを備えている。
【００２１】
ネットワーク通信部６０（通信部の一例）は、ＬＡＮを経由したネットワーク通信のための回路などを備えている。
【００２２】
ファックス装置１は、ＡＳＩＣ７０と、ＲＯＭ７１と、ＲＡＭ７２と、ＮＶＲＡＭ７３とを備えている。
【００２３】
ＡＳＩＣ７０（制御部の一例）は、ＣＰＵ７４を内蔵している。ＡＳＩＣ７０には、画像読取部２０により取得された画像データ、操作部４０の操作内容を表す操作信号などが入力される。ＣＰＵ７４は、ＡＳＩＣ７０に入出力される信号などに基づいて、各種の処理のためのプログラムを実行することにより、画像形成部１０、画像読取部２０、表示部３０、ファックス通信部５０およびネットワーク通信部６０をそれぞれ制御する。
【００２４】
ＲＯＭ７１には、ＣＰＵ７４によって実行されるプログラム及び各種のデータなどが記憶されている。
【００２５】
ＲＡＭ７２は、ＣＰＵ７４がプログラムを実行する際のワークエリアとして使用される。また、ＲＡＭ７２は、ファックス通信部５０により受信された画像データを記憶する。
【００２６】
ＮＶＲＡＭ７３には、例えば、ファックス通信部５０による通信履歴が記憶される。
【００２７】
＜ファックス受信処理＞
【００２８】
ファックス装置１の電源が投入されている間、ＣＰＵ７４は、図２に示されるファックス受信処理を繰り返し実行する。
【００２９】
ファックス受信処理では、ＣＰＵ７４は、Ｎｉｎ１設定処理を行う（Ｓ１）。Ｎｉｎ１設定処理（Ｓ１）では、集約ページ数の初期設定値Ｎ０（第１ページ数の一例）がＮＶＲＡＭ７３に記憶される。集約ページ数の初期設定値Ｎ０は、例えば、ユーザが操作部４０を操作して入力することにより、ＮＶＲＡＭ７３に記憶される。
【００３０】
次に、ＣＰＵ７４は、通信管理レポートの印刷指示が受け付けられたか否かを判断する（Ｓ２）。例えば、ユーザが操作部４０を操作して通信管理レポートの印刷指示を入力すること、又は、ＬＡＮに接続されているＰＣ（パーソナルコンピュータ）からネットワーク通信部６０を介して通信管理レポートの印刷指示を受信することにより、通信管理レポートの印刷指示が受け付けられる。図３には、通信管理レポートの一例が示されている。通信管理レポートには、ファックス装置１が送信したファックス送信及びファックス装置１が受信したファックス受信の通信履歴が記載される。通信履歴は、ＮＶＲＡＭ７３に記憶されている。通信管理レポートの印刷では、所定期間分、例えば、直近の１週間分のファックス送信及びファックス受信の記録が時系列に印刷される。印刷される通信管理レポートの所定期間は、例えば、ユーザが操作部４０を操作して入力することによって指定される。
【００３１】
通信管理レポートの印刷指示が受け付けられていない場合（Ｓ２：ＮＯ）、ＣＰＵ７４は、ファックス通信部５０を介して、ＣＮＧ信号（calling signal：ファックス信号の一例）を受信したか否かを判断する（Ｓ３）。ＣＮＧ信号は、ファックス送信元のファックス装置が送信する信号であって、送信元のファックス装置が受信側のファックス装置１に対してファックスであることを通知するのに用いられる信号である。
【００３２】
通信管理レポートの印刷指示が受け付けられた場合（Ｓ２：ＹＥＳ）、ＣＰＵ７４は、通信管理レポートの印刷を画像形成部１０に指示する（Ｓ４）。
【００３３】
そして、ＣＰＵ７４は、ファックス通信部５０を介して、ＣＮＧ信号を受信したか否かを判断する（Ｓ３）。
【００３４】
ＣＮＧ信号を受信していない場合（Ｓ３：ＮＯ）、ＣＰＵ７４は、ステップＳ１の処理に戻り、Ｎｉｎ１設定処理を実行する。
【００３５】
ＣＮＧ信号を受信した場合（Ｓ３：ＹＥＳ）、ＣＰＵ７４は、ファックス通信部５０を介して、ＣＮＧ信号の送信元のファックス装置にＣＥＤ信号及びＤＩＳ信号を送信する（Ｓ５）。ＣＥＤ信号は、送信元から送信されたＣＮＧ信号に対して、受信側であるファックス装置１が送信する信号である。送信元のファックス装置がＣＥＤ信号を受信することで、送信元及び受信側のファックス装置１の双方がファックスであることがわかる。ＣＥＤ信号は、ファックス通信部５０から送信元のファックス装置に送信される。ＤＩＳ信号は、ファックス装置１の持つ受信可能な最大能力を送信元のファックス装置に通知するために用いられる信号である。ＤＩＳ信号は、ファックス通信部５０から送信元のファックス装置に送信される。
【００３６】
そして、ＣＰＵ７４は、ファックス通信部５０を介して、ＤＣＳ信号を受信するまで（Ｓ６：ＮＯ）、ＤＣＳ信号を受信したか否かを判断する（Ｓ６）。ＤＣＳ信号は、送信条件を通知するために送信元のファックス装置からファックス通信部５０に送信される信号である。
【００３７】
ＤＣＳ信号を受信した場合（Ｓ６：ＹＥＳ）、ＣＰＵ７４は、受信したＤＣＳ信号の送信条件から、これから送信元のファックス装置から送信される画像データのサイズ情報を取得し、サイズ情報をＲＡＭ７２に記憶させる（Ｓ７）。サイズ情報は、例えば、ＪＩＳ規格のＡ４サイズを示す情報である。
【００３８】
そして、ＣＰＵ７４は、Ｎｉｎ１設定がされているか否か、すわなち、ＲＡＭ７２に集約ページ数Ｎとして２以上の値が記憶されているか否かを判断する（Ｓ８）。
【００３９】
Ｎｉｎ１設定がされている場合（Ｓ８：ＹＥＳ）、ＣＰＵ７４は、Ｎｉｎ１印刷処理を実行する（Ｓ９）。Ｎｉｎ１印刷処理の詳細については、後述する。
【００４０】
Ｎｉｎ１設定がされていない場合、すなわち、集約ページ数ＮとしてＲＡＭ７２に１が記憶されている場合（Ｓ８：ＹＥＳ）、ＣＰＵ７４は、印刷処理を実行する（Ｓ１０）。印刷処理では、受信した画像データを順次、画像形成部１０に印刷させる。
【００４１】
＜Ｎｉｎ１印刷処理＞
【００４２】
図２のステップＳ９で実行されるＮｉｎ１印刷処理の流れは、図４に示されている。
【００４３】
Ｎｉｎ１印刷処理では、ＣＰＵ７４は、まず、閾値変更処理を実行する（Ｓ９０１）。閾値変更処理の詳細については、後述する。
【００４４】
次に、ＣＰＵ７４は、画像データの受信を開始する（Ｓ９０２）。画像データの受信が開始されると、ＣＰＵ７４は、ＲＡＭ７２に記憶されている通信履歴に、ファックス受信の日時を書き込む。ＣＰＵ７４は、受信された画像データを、逐次、ＲＡＭ７２に記憶させる。
【００４５】
次に、ＣＰＵ７４は、初期設定として、ＲＡＭ７２に記憶されている集約ページ数Ｎに集約ページ数の初期設定値Ｎ０を格納する（Ｓ９０３）。以下では、集約ページ数の初期設定値Ｎ０が４に設定される場合について説明する。
【００４６】
また、ＣＰＵ７４は、初期設定として、ＲＡＭ７２にＭ＝０を格納する（Ｓ９０４）。数Ｍは、ＲＡＭ７２に記憶される画像データのページ数を示している。
【００４７】
そして、ＣＰＵ７４は、ＲＡＭ７２に記憶されている数Ｍに１を加えた値を、新たな数Ｍとして格納する（Ｓ９０５）。
【００４８】
そして、ＣＰＵ７４は、ファックス通信部５０を介して受信された画像データが１ページ分、ＲＡＭ７２に記憶されたか否かを判断する（Ｓ９０６）。
【００４９】
１ページ分の画像データが記憶されていない場合（Ｓ９０６：ＮＯ）、１ページ分の画像データが記憶される（Ｓ９０６：ＹＥＳ）まで、後述するＳ９１２の処理を行う。
１ページ分の画像データが記憶された場合（Ｓ９０６：ＹＥＳ）、ＣＰＵ７４は、数Ｍと集約ページ数Ｎが同じか否か、すなわち、ＲＡＭ７２にＮｉｎ１印刷を行うページ数Ｎ分の画像データが記憶されたか否かを判断する（Ｓ９０７）。
【００５０】
数Ｍが集約ページ数Ｎに達していない場合（Ｓ９０７：ＮＯ）、ＣＰＵ７４は、ステップＳ９０５に戻り、次ページ以降の画像データについてステップＳ９０５以降の処理を実行する。
【００５１】
Ｓ９０６にて、１ページ分記憶され（Ｓ９０６：ＹＥＳ）、かつ、数Ｍが集約ページ数Ｎに達した場合（Ｓ９０７：ＹＥＳ）、ＣＰＵ７４は、Ｎｉｎ１レイアウト画像の画像データを作成し（Ｓ９０８）、ＲＡＭ７２に記憶させる。Ｎｉｎ１レイアウト画像は、Ｎページ分の画像を１ページに集約した画像である。
【００５２】
次に、ＣＰＵ７４は、レイアウト画像の画像データの作成後、ＲＡＭ７２に記憶されている画像データのうち、レイアウト画像の作成に使用されたＮページ分の画像データをＲＡＭ７２から消去する（Ｓ９０９）。
【００５３】
そして、ＣＰＵ７４は、ＲＡＭ７２に記憶されているＮｉｎ１レイアウト画像の画像データの印刷を、画像形成部１０に指示する（Ｓ９１０）。
【００５４】
次に、ＣＰＵ７４は、画像データの受信が終了したか否かを判断する（Ｓ９１１）。画像データの受信が完了したことは、例えば、ＥＯＰ信号、ＭＣＦ信号及びＤＣＮ信号が送信元装置とファックス通信部５０との間で送受信されたことにより判断される。ＥＯＰ信号（ファックスデータ送信終了信号の一例）は、画像データの送信が終了したことを通知するために送信元装置からファックス通信部５０に送信される信号である。ＭＣＦ信号は、画像データを受け取ったことを通知するためにファックス通信部５０から送信元装置に送信される信号である。ＤＣＮ信号は、回線を切断することを通知するために送信元装置からファックス通信部５０に送信される信号である。
【００５５】
画像データの受信が終了していない場合（Ｓ９１１：ＮＯ）、ＣＰＵ７４は、ステップＳ９０４の処理に戻り、次ページ以降の画像データを、ファックス通信部５０を介して受信しつつ、ステップＳ９０４以降の処理を実行する。
【００５６】
一方、１ページ分の画像データが記憶されていない場合（Ｓ９０６：ＮＯ）、ＣＰＵ７４は、ＲＡＭ７２のうち、画像データの記憶領域として使用する領域の残容量が閾値以下であるか否かを判断する（Ｓ９１２）。
【００５７】
図６は、受信中の画像データのＲＡＭ７２への記憶状況を示している。図６の例では、２枚目の画像データがＲＡＭ７２に記憶され、３枚目の画像データがＲＡＭ７２に記憶されている途中の状況が示されている。
【００５８】
残容量が閾値以下でない場合（Ｓ９１２：ＮＯ）、ＣＰＵ７４は、ステップＳ９０６の処理に戻り、ファックス通信部５０を介して、１ページ分の画像データが受信されたか否かを判断する。
【００５９】
残容量が閾値以下である場合（Ｓ９１２：ＹＥＳ）、ＣＰＵ７４は、中断処理を実行する（Ｓ９１３）。図４のステップＳ９１３で実行される中断処理の流れは、図５に示されている。なお、図５に示される中断処理は、集約ページ数の初期設定値Ｎ０に「１６」が設定される場合にも対応したものであるが、中断処理の詳細については、集約ページ数の初期設定値Ｎ０に「４」が設定された場合について、図６の例を挙げて説明する。図６は、受信中の画像データのＲＡＭ７２への記憶状況を示している。図６の例では、２枚目の画像データがＲＡＭ７２に記憶され、３枚目の画像データがＲＡＭ７２に記憶されている途中であることを斜線で示している。以下の説明では、３枚目の画像データがＲＡＭ７２に記憶されている途中で、残容量が閾値以下となった場合（Ｓ９１２：ＮＯ）について例示する。
【００６０】
中断処理では、ＣＰＵ７４は、ファックス通信部５０を介して、送信元のファックス装置に受信不可信号を送信する（Ｓ１３０１）。これにより、送信元のファックス装置からファックス通信部５０へのファックス送信が中断される。
【００６１】
そして、ＣＰＵ７４は、ＲＡＭ７２に記憶されている数Ｍが１０〜１５の場合（Ｓ１３０２：ＹＥＳ）、ＲＡＭ７２に記憶されている集約ページ数Ｎに９を格納する（Ｓ１３０３）。
【００６２】
ＣＰＵ７４は、ＲＡＭ７２に記憶されている数Ｍが５〜８の場合（Ｓ１３０４：ＹＥＳ）、ＲＡＭ７２に記憶されている集約ページ数Ｎに４を格納する（Ｓ１３０５）。
【００６３】
ＣＰＵ７４は、ＲＡＭ７２に記憶されている数Ｍが４以下である場合（Ｓ１３０４：ＮＯ）、ＲＡＭ７２に記憶されている集約ページ数Ｎに２を格納する（Ｓ１３０６）。
【００６４】
図６の例においては、Ｍが３の場合に、ＲＡＭ７２の残容量が閾値以下となった場合であるため、ＲＡＭ７２に記憶されている集約ページ数Ｎに２が格納される（Ｓ１３０６）。
【００６５】
そして、ＣＰＵ７４は、ＲＡＭ７２に記憶されている集約ページ数Ｎの値を用いて、Ｎページの画像データを１ページに集約したＮｉｎ１レイアウト画像データを作成する（Ｓ１３０７）。次に、ＣＰＵ７４は、ＲＡＭ７２に記憶されている画像データのうち、ＲＡＭ７２に記憶されたＮページ分の画像データを、ＲＡＭ７２から削除する（Ｓ１３０８）。
【００６６】
図７は、４ｉｎ１印刷のレイアウト画像を示す概念図、図８は、２ｉｎ１印刷のレイアウト画像を示す概念図をそれぞれ示している。図６の例においては、集約ページ数Ｎはもともと４であったため、図７に示すように、４ｉｎ１印刷を行う予定であった。しかし、集約ページ数Ｎが２として格納され（Ｓ１３０６）、図８に示すように２ｉｎ１レイアウト画像データが作成される（Ｓ１３０７）。ＲＡＭ７２に記憶され、２ｉｎ１レイアウト画像データの作成に用いられたＡの画像データとＢの画像データとが、ＲＡＭ７２から削除される（Ｓ１３０８）。
【００６７】
そして、ＣＰＵ７４は、ファックス通信部５０を介して、送信元のファックス装置に受信許可信号を送信する（Ｓ１３０９）。これにより、送信元装置からファックス通信部５０へのファックス送信が再開される。再開されたファックス送信は、ファックス送信が中断された画像データの位置から再開される。
【００６８】
図５の例では、ＲＡＭ７２からＡの画像データとＢの画像データとがそれぞれ削除された為、ＲＡＭ７２に空き領域が生じる。そして、Ｓ１３０９にて、送信元のファックス装置に受信許可信号を送信すると、図５のＣの画像データの斜線以後の画像データが送信元のファックス装置から送信され、ＲＡＭ７２に順次記憶されることになる。
【００６９】
なお、図５の例では、初期設定値Ｎ０＝４を例示して説明を行った。しかし、ユーザの初期設定値Ｎ０の設定値は、Ｎ０＝４以外にも、Ｎ０＝１６、Ｎ０＝９、Ｎ０＝２といった値を取る事も可能である。
【００７０】
初期設定値Ｎ０の設定値が、Ｎ０＝１６に設定されていれば、Ｎ＝１６となるので、１６ページ分の画像データがＲＡＭ７２に記憶される必要があるため、その分、ＲＡＭ７２の残容量が閾値以下になる可能性が高い。
【００７１】
ＲＡＭ７２の残容量が閾値以下になった時点での数Ｍの値が、１０〜１５の値であった場合は、１６ページ分の画像データを記憶することができない。しかし、９ページ分の画像データは、ＲＡＭ７２に記憶することができたため、９ｉｎ１のレイアウト画像を作成する（Ｓ１３０７）。以後、１６ｉｎ１のレイアウト画像を作成することは困難であるので、Ｎ＝９として９ｉｎ１という形で継続して、ファックス装置１は、画像データを受信する。
【００７２】
同様に、ＲＡＭ７２の残容量が閾値以下になった時点での数Ｍの値が、５〜８の値であった場合は、１６ページ分の画像データを記憶することができない。しかし、４ページ分の画像データは、ＲＡＭ７２に記憶することができたため、４ｉｎ１のレイアウト画像を作成する（Ｓ１３０７）。以後、４ｉｎ１のレイアウト画像を作成することは困難であるので、Ｎ＝９として９ｉｎ１という形で継続して、ファックス装置１は、画像データを受信する。
故に、ＲＡＭ７２の残容量が閾値以下になったことによって、ユーザが設定したＮの値でのＮｉｎ１での印刷はできなくても、最初に設定されたＮの値より小さい値（例えば、Ｎ＝９、Ｎ＝４、Ｎ＝２）でＮｉｎ１印刷を実現することができ、用紙の節約をすることができる。
【００７３】
中断処理の後、図４に示されるステップＳ９１０に戻り、ＣＰＵ７４は、ＲＡＭ７２に記憶されているＮｉｎ１レイアウト画像の画像データの印刷を、画像形成部１０に指示する（Ｓ９１０）。
【００７４】
そして、ＣＰＵ７４は、画像データの受信が終了したか否かを判断する（Ｓ９１１）。
【００７５】
画像データの受信が終了した場合（Ｓ９１１：ＹＥＳ）、ＣＰＵ７４は、集約ページ数Ｎが変更されたか否かを判断する（Ｓ９１４）。集約ページ数Ｎが変更されたか否かは、集約ページ数Ｎが集約ページ数の初期設定値Ｎ０と異なるか否かで判断する。
【００７６】
集約ページ数Ｎが変更されていない場合（Ｓ９１４：ＮＯ）、ＣＰＵ７４は、Ｎｉｎ１印刷処理を終了する。
【００７７】
集約ページ数Ｎが変更されている場合（Ｓ９１４：ＹＥＳ）、ＣＰＵ７４は、集約ページ数Ｎが変更されたことを示す警告を、表示部３０に表示させる（Ｓ９１５）、そして、ＣＰＵ７４は、ＲＡＭ７２に記憶されている通信履歴に、ＲＡＭ７２の残量容不足のため集約ページ数Ｎが変更されて印刷されたことを書き込み、Ｎｉｎ１印刷処理を終了する。
【００７８】
＜閾値変更処理＞
【００７９】
図４のステップＳ９０１で実行される閾値変更処理の流れは、図９に示されている。閾値変更処理では、受信する画像データのデータサイズがより大きい場合、レイアウト画像の画像データの作成に、より多くの時間がかかるため、より大きな閾値が設定される。
【００８０】
閾値変更処理では、ＣＰＵ７４は、ＤＣＳ信号から取得されるサイズ情報がＪＩＳ規格のＡ３サイズ（第１サイズの一例）を示すかＡ４サイズ（第２サイズの一例としての）を示すかを判断する（Ｓ１００１）。
【００８１】
Ａ３サイズである場合（Ｓ１００１：ＹＥＳ）、ＣＰＵ７４は、閾値を閾値Ａ（第１閾値の一例）に設定する（Ｓ１００２）。
【００８２】
Ａ４サイズである場合（Ｓ１００１：ＮＯ）、ＣＰＵ７４は、ＤＣＳ信号から取得される色情報がカラーを示すかモノクロを示すかを判断する（Ｓ１００３）。
【００８３】
カラーである場合（Ｓ１００３：ＹＥＳ）、ＣＰＵ７４は、閾値Ｂ（第２閾値及び第３閾値の一例）に設定する（Ｓ１００４）。閾値Ｂは、閾値Ａより小さい閾値である。
【００８４】
モノクロである場合（Ｓ１００３：ＮＯ）、ＣＰＵ７４は、閾値を閾値Ｃ（第４閾値の一例）に設定する（Ｓ１００５）。閾値Ｃは、閾値Ｂより小さい閾値である。
【００８５】
＜作用効果＞
【００８６】
以上のように、ファックス通信において、画像データの送信元からＣＮＧ信号を受信してからＥＯＰ信号を受信するまで、受信された画像データがＲＡＭ７２に記憶される。そして、Ｎページ分の画像データがＲＡＭ７２に記憶されると、Ｎページ毎に１ページに集約されたレイアウト画像の画像データが作成される。レイアウト画像の画像データが作成されると、レイアウト画像の画像データの作成に使用された画像データがＲＡＭ７２から削除（消去）される。これにより、ＲＡＭ７２の残容量（空き容量）が増加する。また、レイアウト画像の画像データが作成されると、レイアウト画像が印刷される。
【００８７】
Ｎページ分の画像データの受信途中で、ＲＡＭ７２の残容量が閾値以下に低下した場合、受信不可信号がファックス通信部５０からファックス送信元に送信される。この場合、Ｎページよりも少ない複数ページ数毎に１ページに集約されたレイアウト画像の画像データが作成され、そのレイアウト画像の画像データの作成に使用された画像データがＲＡＭ７２から削除される。
【００８８】
言い換えれば、送信元からページ毎に順次に送信されるファックスデータがファックス通信部５０に受信され、第１ページ数に設定されている所定ページ数のファックスデータがＲＡＭ７２に記憶される毎に、その所定ページ数毎に１ページに集約されたレイアウト画像データが作成される。そして、レイアウト画像データの作成に使用されたファックスデータがＲＡＭ７２から削除されることにより、次のページのファックスデータを順次受信して、ＲＡＭ７２に記憶することができる。
【００８９】
一方、第１ページ数である所定ページ数分のファックスデータの受信途中で、ＲＡＭ７２の残容量が閾値以下に低下した場合、ファックス装置１は、レイアウト画像データを作成することができず、また、ＲＡＭ７２の残容量不足により次のページのファックスデータを受信することができない。すると、ファックス装置１は、ファックスデータの受信不可を示す受信不可信号をファックス通信部５０から送信元に送信する。そして、ファックス装置１は、所定ページ数を第１ページ数よりも少ない第２ページ数に変更し、第２ページ数を１ページに集約されたレイアウト画像データを作成する。そのレイアウト画像データの作成に使用されたファックスデータは、ＲＡＭ７２から削除される。そして、ファックス装置１は、ファックスデータの受信許可を示す受信許可信号をファックス通信部５０から送信元に送信し、残りのファックスデータの受信を再開させる。
【００９０】
ファックス装置１は、第１ページ数である所定ページ数分のファックスデータの受信途中で、ＲＡＭ７２の残容量が閾値以下に低下した場合、所定ページ数を第１ページ数から第２ページに変更することで、レイアウト画像データを作成することができ、レイアウト画像データの作成に使用されたファックスデータが記憶部から削除することができるため、次のページのファックスデータを受信することができる。
【００９１】
また、ＲＡＭ７２の残容量が閾値以下に低下した場合であっても、複数ページ毎に１ページに集約されたレイアウト画像が印刷される。そのため、複数ページ毎に１ページに集約されたレイアウト画像の印刷が解除されて１ページ毎に印刷される場合と比較して、記録紙の消費を抑制することができる。
【００９２】
変更後の集約ページ数Ｎは、レイアウト画像作成の開始時において、ＲＡＭ７２にページ分の記憶が完了したページ数Ｍ以下で、かつ、２以上の自然数の二乗又は２である。例えば、集約ページ数の初期設定値Ｎ０が１６である場合、変更後の集約ページ数Ｎは、２、４又は９である。
【００９３】
レイアウト画像の作成時に、予め設定されていた集約ページ数の初期設定値Ｎ０から集約ページ数Ｎに変更された場合、警告を表示部３０に表示させる。
【００９４】
これにより、予め設定されていた集約ページ数の初期設定値Ｎ０と異なるページ数が１ページに集約されて印刷されることをユーザが知ることができる。
【００９５】
画像データを画像形成部１０が印刷する際の印刷条件であるサイズ情報がＪＩＳ規格のＡ３サイズを示す場合は、閾値を閾値Ａに設定し、サイズ情報がＪＩＳ規格のＡ４を示す場合、閾値を閾値Ａより小さい閾値Ｂに設定する。
【００９６】
これにより、受信する画像データにおいて指定されている用紙のサイズがＡ４サイズである場合には、Ａ４サイズより大きいＡ３サイズである場合と比較して、受信を中断させるタイミングの決定に使用される閾値に、より小さな値を設定することができる。そのため、記憶領域をより大きく確保することができ、より多くの画像データをＲＡＭ７２に記憶させることができる。
【００９７】
画像データの色情報がカラーを示す場合は、閾値を閾値Ｂに設定し、画像データの色情報がモノクロを示す場合、閾値を閾値Ｂより小さい閾値Ｃに設定する。
【００９８】
これにより、受信する画像データがモノクロデータである場合には、カラーデータである場合と比較して、受信を中断させるタイミングの決定に使用される閾値に、より小さな値を設定することができる。そのため、記憶領域をより大きく確保することができ、より多くの画像データをＲＡＭ７２に記憶させることができる。
【００９９】
サイズ情報及び色情報は、画像データの受信前に、送信元装置からファックス通信部５０に送信されるＤＣＳ信号から取得される。
【０１００】
これにより、サイズ情報及び色情報を容易に取得することができる。
【０１０１】
ＲＡＭ７２には、ファックス通信部５０が送受信した各画像データの通信履歴が記憶される。また、ＣＰＵ７４は、操作部４０、又は、ネットワーク通信部を介して、通信管理レポートの印刷指示を受け付け、通信履歴と、ＲＡＭ７２の残量容不足のため１枚の記録紙に集約するページ数が変更されたこととを通信管理レポートとして、画像形成部１０に印刷を指示する。
【０１０２】
これにより、集約ページ数Ｎ毎に１ページに集約されて印刷された画像データであって、予め設定されていた集約ページ数の初期設定値Ｎ０と異なるページ数が１ページに集約されて印刷されたものについて、集約ページ数が変更されたこと及びその理由をユーザが知ることができる。
【０１０３】
＜変形例＞
【０１０４】
以上、本発明の実施形態について説明したが、本発明は、他の形態で実施することもできる。
【０１０５】
例えば、前述の実施形態では、ＤＣＳ信号により取得されるサイズ情報及び色情報に従って、閾値が設定された。しかしながら、画像データのサイズを決定するその他の情報、例えば、符号化方式に従って、閾値が設定されてもよい。符号化方式として、ＭＨ（Modified Huffman）、ＭＲ（Modified Read）、ＭＭＲ（Modified Modified Read）が使用される場合、圧縮率が高い順、すなわちデータサイズが小さい順であるＭＭＲ、ＭＲ、ＭＨの順に、閾値を小さく設定するとよい。
【０１０６】
また、ファックス装置１に代えてファックス機能を備えるＭＦＰ（Multi-Function Peripheral）を用いてもよい。
【０１０７】
前述の実施形態では、ＣＰＵ７４が各処理を実行する場合について説明した。しかしながら、ＡＳＩＣ７０が複数のＣＰＵを備え、複数のＣＰＵが協働して各処理を実行してもよい。
【０１０８】
その他、前述の構成には、特許請求の範囲に記載された事項の範囲で種々の設計変更を施すことが可能である。
【符号の説明】
【０１０９】
１    ファックス装置
１０  画像形成部
３０  表示部
４０  操作部
５０  ファックス通信部
６０  ネットワーク通信部
７０  ＡＳＩＣ
７２  ＲＡＭ
７４  ＣＰＵ
【図１】
0006413840.tif 000002
【図２】
0006413840.tif 000003
【図３】
0006413840.tif 000004
【図４】
0006413840.tif 000005
【図５】
0006413840.tif 000006
【図６】
0006413840.tif 000007
【図７】
0006413840.tif 000008
【図８】
0006413840.tif 000009
【図９】
0006413840.tif 000010